(57)【特許請求の範囲】
【請求項１】
光学的に記憶されたデータを有するディスクを演奏するためのディスクプレーヤであって、情報がトラックにデジタルで記憶されており、ディスクプレーヤはデータブロックを中間記憶するための書き込み／読み出しメモリ（１）を有し、前記データブロックは第１のクロックレートにより書き込み／読み出しメモリ（１）に読み込まれ、第２のクロックレートにより書き込み／読み出しメモリ（１）から読み出され、第１のクロックレートは第２のクロックレートより大きく、
ディスクに記憶された音楽曲が順次連続して部分演奏される動作形式が設けられているディスクプレーヤにおいて、
評価ユニット（２０）が設けられており、
該評価ユニットは、順次連続して演奏すべき音楽曲のデータを、その音量、拍子、再生周波数について評価し、
当該データの評価に依存して、アドレス跳躍を書き込み／読み出しメモリ（１）で実行し、
これによりディスクに記憶された音楽曲が順次連続して部分演奏される際に、所定の音量、所定の拍子、所定の再生周波数が維持される、
ことを特徴とするディスクプレーヤ。
【請求項２】
走査光学系（５）がトラック跳躍を実行する跳躍時間が設けられている、請求項１記載のディスクプレーヤ。
【請求項３】
第１のクロックレートにより十分に大きなデータ量が書き込み／読み出しメモリ（１）に記憶可能であり、これにより跳躍時間中にデータの第２のクロックレートによる再生が保証される、請求項１または２記載のディスクプレーヤ。
【請求項４】
制御ユニット（１０）が設けられており、
該制御ユニットには、第１のクロックレートが供給され、
前記制御ユニットは書き込み／読み出しメモリ（１）に、第２のクロックレート、出力すべきデータのアドレス、読み込むべきデータのアドレスを供給し、
制御ユニット（１０）はサーボユニット（１５）と接続されており、
該サーボユニットは走査光学系（５）を第１のクロックレートに依存して制御する、請求項１から３までのいずれか１項記載のディスクプレーヤ。
【請求項５】
書き込み／読み出しメモリ（１）に供給されるデータはさらに評価ユニット（２０）に、データを音量、拍子、再生周波数について評価するため供給され、
前記評価ユニット（２０）は制御ユニット（１０）と接続されている、請求項１から４までのいずれか１項記載のディスクプレーヤ。
【請求項６】
制御ユニット（１０）は、評価ユニット（２０）によるデータの評価に依存して跳躍命令をサーボユニット（１５）に出力し、該跳躍命令により走査光学系（５）の相応のトラック跳躍が行われ、所定の音量、所定の拍子、所定に再生周波数が維持される、請求項１から５までのいずれか１項記載のディスクプレーヤ。
【請求項７】
制御ユニット（１０）は、評価ユニット（２０）によるデータの評価に依存して、所定の音量、所定の拍子、所定の再生周波数を維持するデータが記憶されている書き込み／読み出しメモリ（１）のアドレスを検出する、請求項１から６までのいずれか１項記載のディスクプレーヤ。
【発明の詳細な説明】
【０００１】
従来の技術
本発明は、請求項１の上位概念によるディスクプレーヤから出発する。
【０００２】
ＥＰ０６２６６９０Ａ１から、オーディオディスクに対するデジタル演奏装置が公知である。この装置ではデジタルオーディオデータが、通常の再生速度に相応する速度より速いかまたは同じ速度でメモリに書き込まれる。データはこのメモリから通常の再生速度で読み出される。このようにして、２つの順次連続する音楽曲の再生を休止なしで行うことができる。さらにフェーディング制御ユニットが設けられており、このユニットは２つの順次連続する演奏すべき音楽曲の移行時に音量制御を行う。
【０００３】
ＥＰ０２４９７８１Ａ１から、いわゆるＣＤディスクを演奏するためのコンパクトディスク（ＣＤ）プレーヤが公知である。このプレーヤでは、走査光学系が振動、または信号処理ユニットのデジタルデータ処理経路での障害のためにトラック跳躍するのを電子的に補償するため、データを中間記憶するための書き込み／読み出しメモリが設けられている。データは連続的にメモリから読み出され、ここで読み出し過程は走査光学系のトラック喪失の際にも連続的に継続される。再位置決め装置は走査光学系をトラック跳躍の後に再度リセットし、一方、同期装置はメモリ書き込み過程の開始を走査光学系の再位置決めの後に、トラック跳躍の前のメモリ書き込み過程の終了と同期させる。トラック跳躍の後、メモリには走査し処理されたデジタルデータが急速に再び満たされる。これによりメモリには場合により生じる次のトラック跳躍に対して十分な読み出しデータが再び満たされ、トラック跳躍中でも読み出し過程の連続性を保証することができる。十分に大きなデータ量が記憶されれば、書き込み周波数は再び古い値に低減される。そしてメモリの読み出し周波数は一定に留まる。
【０００４】
発明の利点
請求項１の特徴を有する本発明のディスクプレーヤはこれに対して、同期して再位置決めされないトラック跳躍が行われる場合でも、ディスクに記憶された音楽曲の順次連続する部分演奏を実現するために書き込み／読み出しメモリの連続読み出しが可能であるという利点を有する。このようにしてディスクの高速スキップが実現され、高速スキップによりユーザは、聴く楽しみを妨げられることなしに音楽曲の概観を得ることができ、これを選択することができる。
【０００５】
従属請求項に記載された手段により、請求項１に記載のディスクプレーヤの有利な改善および発展形態が可能である。
【０００６】
請求項２によれば有利には、跳躍時間が設けられ、その跳躍時間の間に走査光学系がトラック跳躍を実行する。これにより、ディスクを所定のように高速スキップすることが可能であり、これによってディスクに存在する音楽曲の概観が再生される。
【０００７】
請求項３によれば有利には、書き込み／読み出しメモリへの十分に大きなデータ量の記憶が第１のクロックレートにより行われ、これにより跳躍が持続する時間中に第２のクロックレートによるデータの再生を保証する。このようにすれば、トラック跳躍をユーザが、再生の中断として知覚しない。
【０００８】
請求項４によれば有利には、制御ユニットが使用される。この制御ユニットには第１のクロックレートが供給され、かつこの制御ユニットは書き込み／読み出しメモリに第２のクロックレートと、出力すべきデータのアドレスと、読み込むべきデータのアドレスとを供給し、走査光学系を第１のクロックレートに依存して制御するためサーボユニットと接続されている。このようにして、所定のトラック位置へのトラック跳躍が可能であり、書き込み／読み出しメモリに記憶されているデータをとりわけ書き込みおよび読み出し過程について効率的に管理することができ、第１および第２のクロックレートが中断のない連続的な再生過程を保証するために制御される。
【０００９】
請求項５から７によれば有利には、データの評価が音量、拍子、可聴周波数等について評価ユニットにより行われ、この評価ユニットは制御ユニットと接続されている。これにより所定の音量、所定の拍子、所定の可聴周波数等を維持することができる。このようにして、順次配列され、音響的に再生されるデータシーケンスが音楽的に相互に適合され、従ってユーザの聴く楽しみが妨げられない。
【００１０】
図面
本発明の実施例が図面に示されており、以下詳細に説明する。図１には本発明のディスクプレーヤの回路装置が示されている。
【００１１】
実施例の説明
図１には５によりＣＤプレーヤとして構成されたディスクプレーヤの走査光学系が示されており、この走査光学系はサーボユニット１５と共に制御回路を形成する。走査光学系５がコンパクトディスクとして構成されたディスクから読み出したデータはデコーダ２５でデコードされる。ここでデータはコンパクトディスクのトラックに光学的にデジタルで記憶されており、デコーダ２５はデータ出力のための第１の出力側３０と、第１のクロックレートを出力するための第２の出力側３５とを有する。デコーダ２５の第１の出力側３０は書き込み／読み出しメモリ１の第１の入力側３１とデータ入力のために接続されており、デコーダ３５の第２の出力側３５は書き込み／読み出しメモリ１の第２の入力側３６と第１のクロックの入力のために接続されている。書き込み／読み出しメモリ１はデータを出力するためのデータ出力側８５を有し、このデータは公知のように可聴とされる。デコーダ２５の第２の出力側３５はさらに制御ユニット１０の第１の入力側４０と、第１のクロックレートの入力のために接続されている。
【００１２】
制御ユニット１０は第１の出力側４５を有し、この出力側は書き込み／読み出しメモリ１によりその第１の入力側３１に読み込むべきデータに対するアドレスを出力する。制御ユニット１０はさらに第２の出力側５０を有し、この出力側は書き込み／読み出しメモリ１のデータ出力側８５で読み出すべきデータに対するアドレスを出力する。制御ユニットはさらに第３の出力側５５を有し、この出力側は第２のクロックレートを書き込み／読み出しメモリに出力する。制御ユニット１０の第１の出力側４５は書き込み／読み出しメモリ１の第３の入力側７０と、読み出すべきデータに対するアドレスを出力するため接続されている。制御ユニット１０の第２の出力側５０は書き込み／読み出しメモリ１の第４の入力側７５と、読み出すべきデータに対するアドレスを出力するため接続されている。制御ユニット１０の第３の出力側５５は書き込み／読み出しメモリ１の第５の入力側８０と、第２のクロックレートを出力するため接続されている。デコーダ２５の第１の出力側３０からデータはさらに評価ユニット２０に供給され、この評価ユニットはさらに制御ユニット１０の第２の入力側６０と、データ評価を出力するため接続されている。制御ユニット１０は最後に第４の出力側６５を介して制御信号を出力するためサーボユニット１５と接続されている。
【００１３】
図１に示された回路装置を有する本発明のＣＤプレーヤにより、コンパクトディスクに記憶された音楽曲を図２に示した演奏プランに従って順次連続して部分的に再生するという動作形式が可能である。この動作形式がユーザにより選択されたなら、プログラム点２００で走査光学系が例えば第１の音楽曲の開始をマークする箇所に位置決めされる。
【００１４】
次にプログラム点２０５で書き込み／読み出しメモリ１には、制御ユニット１０から書き込み／読み出しメモリ１に出力された、読み出すべきデータに対するアドレスを開始点とし、コンパクトディスクのトラックに光学的およびデジタルで記憶され、走査光学系５により読み出され、デコーダ２５によりデコードされたデータがデータブロックの形態でロードされる。
【００１５】
プログラム点２０５によりメモリスペースがそれぞれ使用された後、書き込み／読み出しメモリ１が満杯か否かが検査される。満杯であればプログラム点２１５に分岐する。そうでなければプログラム点２０５へリターン分岐し、ロード過程を継続する。
【００１６】
プログラム点２１５では制御ユニット１０が読み出すべきデータに対して有効なアドレスを書き込み／読み出しメモリ１に出力する。このアドレスは、最初に読み出されるデータに対するアドレスの開始部に相当する。このようにして、書き込み／読み出しメモリ１が満杯になった後まず最初に書き込み／読み出しメモリ１のデータ出力側８５には、第１の音楽曲の開始を表すデータが出力され、公知のように可聴とされる。このことは第２のクロックレートにより行われる。
【００１７】
第２のクロックレートはプログラム点２２０で同じように制御ユニット１０から書き込み／読み出しメモリ１に出力され、この第２のクロックレートは一定である。次に第２のクロックレートによりプログラムないしは順次連続する部分再生の終了まで、データが書き込み／読み出しメモリ１から読み出される。書き込み／読み出しメモリ１のロードは第１のクロックレートにより行われ、この第１のクロックレートは可変である。
【００１８】
第１と第２のクロックを形成するために、図示しない水晶発振器が使用される。この水晶発振器は同様に図示しない固定の分周比を有する第１の分周器と、第２のクロックを形成するために接続されている。さらに水晶発振器は同様に図示しない第２の分周器と接続することができ、この第２の分周器の分周比は制御ユニット１０により可変に調節できる。それぞれの分周器の出力側からは、可変の第１のクロックレート、ないし一定の第２のクロックレートが得られる。
【００１９】
制御ユニット１０に第１の入力側４０を介して供給される第１のクロックレートに依存して、サーボユニット１５は次のように制御される。すなわちコンパクトディスクの走査周波数とディスクの速度とが相応に第１のクロックレートに適合されるよう制御される。
【００２０】
書き込み／読み出しメモリ１の初期書き込み過程には時間節約の理由から、第２のクロックレートよりも大きい第１のクロックレートを使用すると有利である。このようにすれば、コンパクトディスクの走査周波数とディスク速度とが同じように相応に高められる。
【００２１】
第１のクロックレートと書き込み／読み出しメモリ１のメモリ容量とは制御ユニット１０で既知であるから、書き込み／読み出しメモリ１が完全に満杯になり、読み出すべきデータのアドレスを最初に読み込まれたデータのアドレスと等しくすべき時点も既知である。従ってプログラム点２１０における書き込み／読み出しメモリ１の満杯についての問い合わせは時間問い合わせとして実現することもできる。
【００２２】
次にプログラム点２２５では第１のクロックレートが第２のクロックレートに適合され、プログラム点２３０でコンパクトディスクの走査周波数とディスク速度とが、制御ユニット１０によるサーボユニット１５の制御によって相応に低下される。次に書き込み／読み出しメモリ１には、古いデータをデータ出力側８５から出力することにより新たなデータが上書きされる。このようにして、書き込み／読み出しメモリ１の全メモリ内容を連続的読み出しのためにトラック跳躍中に一定の第２のクロックレートにより得ることができる。これによりトラック跳躍に対する最大持続時間を第２のクロックレートと書き込み／読み出しメモリ１の大きさにより設定することができる。ただし、トラック跳躍が聴く楽しみに影響を与えないことが前提である。制御ユニット１０側からのトラック跳躍を実行するための条件は、書き込み／読み出しメモリ１が完全にデータにより満たされていることである。
【００２３】
プログラム点２３５で制御ユニット１０では、トラック跳躍を実行すべきか否かが検査される。実行すべき場合にはプログラム点２４０に分岐し、そうでない場合にはプログラム点２５５に分岐する。プログラム点２４０でサーボユニット１５は制御ユニットから相応の制御信号を受け取り、これにより走査光学系は次に読み出すべき箇所に位置決めされる。トラック跳躍の間、書き込み／読み出しメモリ１に記憶されたデータが一定の第２のクロックレートでさらに読み出され、従って聴く楽しみが損なわれることはない。
【００２４】
制御ユニット１０はプログラム点２４５でトラック跳躍の持続時間を記録し、そこから書き込み／読み出しメモリ１の充填状態をトラック跳躍の終了後に検出する。トラック跳躍が終了すると、第１のクロックレートがプログラム点２５０で高められる。これにより第１のクロックレートは第２のクロックレートよりも大きくなり、書き込み／読み出しメモリ１を再び満杯にすることができる。コンパクトディスクの走査周波数とディスク速度もプログラム点２５０で同じように相応に高められる。
【００２５】
プログラム点２６０では、書き込み／読み出しメモリ１が再び完全に充填されたか否かが検査される。完全に充填されていればプログラム点２６５に分岐し、そうでない場合にはプログラム点２５０に分岐し、高められたクロックレートによりさらに処理される。書き込み／読み出しメモリ１が再度完全に充填されれば、プログラム点２６５で第１のクロックレートが第２のクロックレートの値にセットされ、プログラム点２３０に分岐する。ここではコンパクトディスクの走査周波数とディスク速度が相応に適合される。
【００２６】
プログラム点２５５では、コンパクトディスク上のトラックの終了に達したか否かが検査される。達していればプログラムは終了し、そうでない場合にはプログラム点２３０へ分岐し、サーボユニット１５はさらに相応に制御ユニット１０により制御される。
【００２７】
トラック跳躍のない通常動作では、読み出すべきデータのアドレスは最初に読み込まれたデータのアドレスに常時適合され、書き込むべきデータのアドレスは読み出すべきデータのアドレスに周期的に追従される。このことは例えばアドレスを最後に読み出されたデータのアドレスに適合することにより行われる。このようにして書き込み／読み出しメモリ１は効率的に制御ユニット１０により管理される。
【００２８】
トラック跳躍の間、制御ユニット１０は読み込むべきデータに対するアドレスを書き込み／読み出しメモリ１に出力しない。従ってこのトラック跳躍の間は新たなデータを書き込み／読み出し１に記憶することができない。
【００２９】
トラック跳躍が終了した後、またはこれに対して求められた時間が終了した後、制御ユニット１０は新たに、書き込むべきデータに対するアドレスを書き込み／読み出しメモリ１に出力し、これにより新たなデータをデコーダ２５から書き込み／読み出しメモリ１に書き込むことができる。ここでは先行するトラック跳躍の間にすでに読み出された書き込み／読み出しメモリ１の領域が、書き込むべきデータに対してアドレシングされる。従って上に述べたアドレシング形式に対して、書き込み／読み出しメモリ１が再度充填されれば、書き込むべきデータに対するアドレスが制御ユニット１０により最後に読み出されたデータのアドレスにセットされる。
【００３０】
所定のトラック跳躍を実行するための手段は、評価ユニット２０を使用することにより実現される。評価ユニット２０には、書き込み／読み出しメモリ１に供給されるデータが同じように供給される。ここで評価ユニット２０では、音楽曲のデータが音量、拍子、可聴周波数等について評価される。評価ユニット２０によるデータの評価に依存して、制御ユニット１０は跳躍命令をサーボユニット１５に出力し、走査光学系１５の相応のトラック跳躍がプログラム点２４０で実行される。これにより、所定の音量、所定の拍子、所定の可聴周波数等を維持することができる。
【００３１】
このことは次のようにしても実行することができる。すなわち図示のように書き込み／読み出しメモリ１のデータ出力側８５にスイッチ８５を配置し、このスイッチが制御線路１００を介して制御ユニット１０のスイッチ制御出力側９５と接続されており、書き込み／読み出しメモリ１のデータ出力側８５を図示しないデジタル／アナログ変換器と選択的に接続してデータをさらに処理するか、または評価ユニット２０と接続するのである。このようにして制御ユニット１０は、書き込み／読み出しメモリ１に記憶されたデータを評価ユニット２０が評価することも制御し、評価ユニット２０でのデータの評価に依存して、所定の音量、所定の拍子、所定の再生周波数等のデータが記憶されている書き込み／読み出しメモリ１のアドレスを求めることができる。次にこのアドレスは、書き込み／読み出しメモリ１に第４の入力側７５を介して読み出しアドレスとして伝送される。これによりトラック跳躍が必要なくなり、走査光学系５に対する負荷が格段に低減される。この場合プログラム点２４０でのトラック跳躍の代わりに、書き込み／読み出しメモリ１でのアドレス跳躍が行われ、プログラム点２４５でのトラック跳躍の持続時間の検出の代わりに、書き込み／読み出しメモリ１で跳躍されたメモリスペースの数を検出して、書き込み／読み出しメモリ１の有効充填状態を検出するのである。図示しないアナログ／デジタル変換器でのデータ損失を阻止するため、スイッチ９０の後方ではその入力データを相応にバッファする。
【００３２】
コンパクトディスクからのデータ再生過程と読み出し過程とを分離することによりデータ特性を考慮することができる。このようにして静かな音楽曲から騒がしい音楽曲へ、再生周波数の低い箇所から再生周波数の高い箇所へ、拍子のゆっくりな箇所から拍子の速い箇所へ直接ジャンプして、聴く楽しみの損なわれることが阻止される。
【００３３】
制御ユニット１０により評価ユニット２０を用いて、後続の音楽曲の開始へトラック跳躍することもできる。
【００３４】
跳躍時間が相応に小さければ、書き込み／読み出しメモリ１を完全に満たすことは必ずしも必要ではない。このことにより２つのトラック跳躍間の時間を短縮することができる。なぜなら、１つのトラック跳躍の後、書き込み／読み出しメモリ１を完全に充填する必要がないからである。
【００３５】
本発明のディスクプレーヤにより、ディスクに記憶された音楽曲を順次連続して部分演奏するために必要なトラック跳躍がつながるだけでなく、例えば振動またはサーボユニット１５の障害により生じたトラック喪失も回避される。正しいトラック位置を相応に設けた適切な再位置決め装置により再び調整することができる。
【図面の簡単な説明】
【図１】  本発明の実施例のブロック回路図である。
【図２】  本発明の方法のフローチャートである。
【図１】
0004603686.tif 000002
【図２】
0004603686.tif 000003